【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
シートの第一面と前記第一面とは異なる第二面に画像形成を行う画像形成装置であって、
シートに未定着のトナー像を形成する画像形成手段と、
前記画像形成手段により形成されたトナー像をシートに定着させる定着手段と、
前記定着手段によりシートの第一面のトナー像が定着された後のシートの第二面に画像形成を行うためにシートが搬送される両面搬送路と、
前記シートの搬送を制御する制御手段と、
を備え、
前記制御手段は、前記両面搬送路において、前記定着手段よりもシートの搬送方向における下流側の第一の待機位置と前記第一の待機位置よりも下流側の第二の待機位置との何れでもシートを停止可能とし、前記第一の待機位置でシートを停止させる第一停止時間と前記第二の待機位置でシートを停止させる第二停止時間を、透気度が異なるシートの材質に応じて変更することを特徴とする画像形成装置。
【請求項２】
前記制御手段は、シートが第一の材質の場合には前記第一停止時間よりも前記第二停止時間を長くし、シートが前記第一の材質よりも透気度が高い第二の材質の場合には、前記第二停止時間よりも前記第一停止時間を長くすることを特徴とする請求項１に記載の画像形成装置。
【請求項３】
前記定着手段よりも前記搬送方向における下流側に設けられ、シートを検知する第一の検知手段を備え、
前記制御手段は、前記第一の検知手段の検知結果に基づいて、シートが前記第一の待機位置に到達したことを判断することを特徴とする請求項１または２に記載の画像形成装置。
【請求項４】
前記定着手段と前記第一の検知手段の間に設けられ、シートを搬送する第一の搬送手段を備え、
前記制御手段は、前記第一の検知手段の検知結果に基づきシートが前記第一の待機位置に到達したと判断した場合、前記第一の搬送手段の動作を停止させてシートを停止させることを特徴とする請求項３に記載の画像形成装置。
【請求項５】
前記制御手段は、前記第一の待機位置における待機時間が経過した後に前記第一の搬送手段の動作を開始させることを特徴とする請求項４に記載の画像形成装置。
【請求項６】
前記第一の検知手段よりも下流側に設けられ、シートを検知する第二の検知手段を備え、
前記制御手段は、前記第二の検知手段の検知結果に基づいて、シートが前記第二の待機位置に到達したことを判断することを特徴とする請求項３乃至５のいずれか１項に記載の画像形成装置。
【請求項７】
前記第一の検知手段と前記第二の検知手段の間に設けられ、シートを搬送する第二の搬送手段を備え、
前記制御手段は、前記第二の検知手段の検知結果に基づきシートが前記第二の待機位置に到達したと判断した場合、前記第二の搬送手段の動作を停止させてシートを待機させることを特徴とする請求項６に記載の画像形成装置。
【請求項８】
前記制御手段は、前記第二の待機位置で前記第二停止時間が経過した後に前記第二の搬送手段の動作を開始させることを特徴とする請求項７に記載の画像形成装置。
【請求項９】
前記第一の材質のシートは普通紙であり、前記第二の材質のシートはコート紙であることを特徴とする請求項２乃至８のいずれか１項に記載の画像形成装置。
【請求項１０】
前記第一の材質のシートが前記定着手段を通過してから前記第二の待機位置から搬送されるまでの時間と、前記第二の材質のシートが前記定着手段を通過してから前記第二の待機位置から搬送されるまでの時間とが等しいことを特徴とする請求項１乃至９のいずれか１項に記載の画像形成装置。
【請求項１１】
前記第一の材質のシートに対する画像形成時の搬送速度と、前記第二の材質のシートに対する画像形成時の搬送速度は等しいことを特徴とする請求項２乃至１０のいずれか１項に記載の画像形成装置。
【請求項１２】
前記第一の材質の前記第一の待機位置における待機時間と前記第二の待機位置における待機時間の和は、前記第二の材質の前記第一の待機位置における待機時間と前記第二の待機位置における待機時間の和と等しいことを特徴とする請求項１１に記載の画像形成装置。
【請求項１３】
シートの材質に関する情報を入力するための操作部を備えることを特徴とする請求項２乃至１２のいずれか１項に記載の画像形成装置。
【請求項１４】
前記制御手段は、シートが前記第一の材質の場合には、前記第一停止時間をゼロにすることを特徴とする請求項２乃至１３の何れか１項に記載の画像形成装置。
【請求項１５】
シートの第一面と前記第一面とは異なる第二面に画像形成を行う画像形成装置であって、
シートに未定着のトナー像を形成する画像形成手段と、
前記画像形成手段により形成されたトナー像をシートに定着させる定着手段と、
前記定着手段によりシートの第一面のトナー像が定着された後のシートの第二面に画像形成を行うためにシートが搬送される両面搬送路と、
前記両面搬送路を搬送されるシートを前記両面搬送路の第一の待機位置とシートの搬送方向において前記第一の待機位置よりも下流側の第二の待機位置との何れでも停止可能とするようシートの搬送を制御する制御手段と、
を備え、
前記制御手段は、第一の材質のシートが前記両面搬送路を搬送される場合、前記第一の材質のシートを前記第一の待機位置で停止させることなく前記第二の待機位置に停止させ、前記第一の材質のシートの透気度よりも高い透気度を有する第二の材質のシートが前記両面搬送路を搬送される場合、前記第二の材質のシートを前記第一の待機位置と前記第二の待機位置の両方に停止させることを特徴とする画像形成装置。
【請求項１６】
シートの第一面と前記第一面とは異なる第二面に画像形成を行う画像形成装置であって、
シートに未定着のトナー像を形成する画像形成手段と、
前記画像形成手段により形成されたトナー像をシートに定着させる定着手段と、
前記定着手段によりシートの第一面のトナー像が定着された後のシートの第二面に画像形成を行うためにシートが搬送される両面搬送路と、
前記両面搬送路を搬送されるシートを前記両面搬送路の待機位置において停止させ、所定のタイミングで前記待機位置から前記画像形成手段へ搬送するようシートの搬送を制御する制御手段と、
を備え、
前記制御手段は、前記定着手段から前記待機位置へシートを搬送するのに要する時間が異なる透気度を有するシートの材質に従って変更されるようにシートの搬送を制御することを特徴とする画像形成装置。
【請求項１７】
前記制御手段は、第一の材質のシートが前記定着手段から前記待機位置へ到達するのに要する時間よりも前記第一の材質のシートの透気度よりも高い透気度を有する第二の材質のシートが前記定着手段から前記待機位置へ到達するのに要する時間が長くなるようシートの搬送を制御することを特徴とする請求項１６に記載の画像形成装置。
【手続補正２】
【補正対象書類名】明細書
【補正対象項目名】０００７
【補正方法】変更
【補正の内容】
【０００７】
（１）シートの第一面と前記第一面とは異なる第二面に画像形成を行う画像形成装置であって、シートに未定着のトナー像を形成する画像形成手段と、前記画像形成手段により形成されたトナー像をシートに定着させる定着手段と、前記定着手段によりシートの第一面のトナー像が定着された後のシートの第二面に画像形成を行うためにシートが搬送される両面搬送路と、前記シートの搬送を制御する制御手段と、を備え、前記制御手段は、前記両面搬送路において、前記定着手段よりもシートの搬送方向における下流側の第一の待機位置と前記第一の待機位置よりも下流側の第二の待機位置との何れでもシートを停止可能とし、前記第一の待機位置でシートを停止させる第一停止時間と前記第二の待機位置でシートを停止させる第二停止時間を、透気度が異なるシートの材質に応じて変更することを特徴とする画像形成装置。
（２）シートの第一面と前記第一面とは異なる第二面に画像形成を行う画像形成装置であって、シートに未定着のトナー像を形成する画像形成手段と、前記画像形成手段により形成されたトナー像をシートに定着させる定着手段と、前記定着手段によりシートの第一面のトナー像が定着された後のシートの第二面に画像形成を行うためにシートが搬送される両面搬送路と、前記両面搬送路を搬送されるシートを前記両面搬送路の第一の待機位置とシートの搬送方向において前記第一の待機位置よりも下流側の第二の待機位置との何れでも停止可能とするようシートの搬送を制御する制御手段と、を備え、前記制御手段は、第一の材質のシートが前記両面搬送路を搬送される場合、前記第一の材質のシートを前記第一の待機位置で停止させることなく前記第二の待機位置に停止させ、前記第一の材質のシートの透気度よりも高い透気度を有する第二の材質のシートが前記両面搬送路を搬送される場合、前記第二の材質のシートを前記第一の待機位置と前記第二の待機位置の両方に停止させることを特徴とする画像形成装置。
（３）シートの第一面と前記第一面とは異なる第二面に画像形成を行う画像形成装置であって、シートに未定着のトナー像を形成する画像形成手段と、前記画像形成手段により形成されたトナー像をシートに定着させる定着手段と、前記定着手段によりシートの第一面のトナー像が定着された後のシートの第二面に画像形成を行うためにシートが搬送される両面搬送路と、前記両面搬送路を搬送されるシートを前記両面搬送路の待機位置において停止させ、所定のタイミングで前記待機位置から前記画像形成手段へ搬送するようシートの搬送を制御する制御手段と、を備え、前記制御手段は、前記定着手段から前記待機位置へシートを搬送するのに要する時間が異なる透気度を有するシートの材質に従って変更されるようにシートの搬送を制御することを特徴とする画像形成装置。